(57)【要約】【課題】構成部材を小さな形状にすることができて、不使用時の保管及び使用時の運搬、組立を容易に行うことができるとともに、使用時に身体の背中側も容易に洗うことができる洗浄槽を提供する。【解決手段】洗浄槽本体１１を流体圧入プレートにより上面が開口したほぼ箱型に形成する。洗浄槽本体１１の内底部には中敷マット２６を着脱可能に敷設する。中敷マット２６の上面には、身体Ｂを支持するための複数の支持突部２７Ａ，２７Ｂを身体Ｂの延長方向に間隔をおいて配設する。中敷マット２６及び支持突部２７Ａ，２７Ｂを流体圧入プレートにより形成する。【選択図】図１
2011152464.tif 000002
【特許請求の範囲】
【請求項１】
洗浄槽本体を流体圧入プレートにより上面が開口したほぼ箱型に形成し、その洗浄槽本体の内底部には身体を支持するための複数の支持突部を身体の延長方向に間隔をおいて配設し、
前記洗浄槽本体内に中敷マットを着脱可能に敷設するとともに、その中敷マットの上面に前記支持突部を配設し、前記中敷マット及び支持突部を流体圧入プレートにより形成し、
前記洗浄槽本体、前記中敷マット及び前記支持突部を形成する前記流体圧入プレートは、合成樹脂材料製の表皮材と、該表皮材の内面に接着された生地と、両端がそれぞれ前記生地に連結される非伸長性を有する多数の樹脂繊維とから構成され、
前記中敷マットと各支持突部との接合部には連通孔が形成されていることを特徴とする洗浄槽。
【発明の詳細な説明】
【技術分野】
【０００１】
この発明は、例えば湯灌や介護等に用いる洗浄槽に関するものである。
【背景技術】
【０００２】
従来、この種の洗浄槽としては、例えば特許文献１に開示されるような構成が提案されている。この従来構成においては、保持台の上面に一対の保持突起が突設されるとともに、昇降装置が配置されている。保持台の保持突起上には、身体を載置するための平板状のテーブルがテーブル支持板を介してスライド可能に支持されている。保持台の周側部には、四角枠状の台座が配置されている。台座上には上面を開口した箱型の貯湯槽が昇降装置により、テーブルを収容する上昇位置と、テーブルを貯湯槽の開口上縁から上方に突出させる下降位置とに昇降可能に支持されている。
【先行技術文献】
【特許文献】
【０００３】
【特許文献１】特開２００６−５１２４６号公報
【発明の概要】
【発明が解決しようとする課題】
【０００４】
この従来の洗浄槽においては、前記のように、貯湯槽が昇降装置により上昇位置と下降位置とに昇降可能に支持されるともに、テーブルがテーブル支持板を介して保持台上にスライド可能に支持されている。そのため、この洗浄槽を湯灌や介護等に用いる場合、貯湯槽を下降位置に配置して、テーブルを貯湯槽の開口上縁から上方に突出させた状態で、テーブルを貯湯槽上から横方向にスライドさせることにより、貯湯槽内への身体の搬入及び搬出を容易に行うことができる。
【０００５】
ところが、この従来の洗浄槽においては、保持台、テーブル、テーブル支持板、台座及び貯湯槽の各構成部材が強化プラスチック等の強度に優れた硬質材料により形成されている。このため、洗浄槽の各構成部材が大型で大重量になって、それらの構成部材を不使用時に保管するのに広いスペースが必要になるとともに、それらの構成部材を使用現場へ運搬したり使用現場で組立てたりするのに手間がかかるという問題があった。
【０００６】
また、従来の洗浄槽においては、テ−ブルが平板状に形成されて、その上面が平坦になっているため、テーブル上に身体を載置して洗う場合、身体の背中側を洗うことが困難であった。そのため、従来では身体をハンモック状の網体上に支持した状態でテーブル上に載置し、身体の背中側を洗う場合には、網体により身体をテーブルの上面から持ち上げて、背中側に手をまわすようにして作業を行っていた。よって、作業が面倒で手間がかかるという問題があった。
【０００７】
この発明は、このような従来の技術に存在する問題点に着目してなされたものである。その目的は、構成部材を小さな形状に、かつ小さな形状にすることができて、不使用時の保管及び使用時の運搬、組立を容易に行うことができるとともに、使用時に身体の背中側も容易に洗うことができる洗浄槽を提供することにある。
【課題を解決するための手段】
【０００８】
上記の目的を達成するために、この発明は、洗浄槽本体を流体圧入プレートにより上面が開口したほぼ箱型に形成し、その洗浄槽本体の内底部には身体を支持するための複数の支持突部を身体の延長方向に間隔をおいて配設し、前記洗浄槽本体内に中敷マットを着脱可能に敷設するとともに、その中敷マットの上面に前記支持突部を配設し、前記中敷マット及び支持突部を流体圧入プレートにより形成し、前記洗浄槽本体、前記中敷マット及び前記支持突部を形成する前記流体圧入プレートは、合成樹脂材料製の表皮材と、該表皮材の内面に接着された生地と、両端がそれぞれ前記生地に連結される非伸長性を有する多数の樹脂繊維とから構成され、前記中敷マットと各支持突部との接合部には連通孔が形成されていることを特徴としている。
【０００９】
従って、この発明の洗浄槽においては、流体圧入プレートからエアを抜くことにより、洗浄槽本体を折りたたむことができる。従って、この洗浄槽を小さな形状で軽量にすることができて、不使用時の保管及び使用現場への運搬を容易に行うことができる。また、流体圧入プレートにエアを充填することにより、洗浄槽本体をほぼ箱型の使用形状に拡張することができて、使用時の組立作業等を容易に行うことができる。しかも、この洗浄槽の使用時には、洗浄槽本体の内底部に複数の支持突部が間隔をおいて配設されているため、各支持突部間の空間から身体の背中側にも手を差し入れて容易に洗うことができる。
【００１０】
さらに、中敷マット上の各支持突部間の空間を利用して、身体の背中側も容易に洗うことができる。また、中敷マット及び支持突部が流体圧入プレートにより形成されているため、その流体圧入プレートからエアを抜くことにより、中敷マット及び支持突部を小さな形状で軽量にすることができて、洗浄槽本体とともに容易に保管及び運搬することができる。
【発明の効果】
【００１１】
以上のように、この発明によれば、構成部材を小さな形状で軽量にすることができて、不使用時の保管及び使用時の運搬、組立を容易に行うことができる。また、使用時には、
身体の背中側を容易に洗うことができるという効果を発揮する。
【図面の簡単な説明】
【００１２】
【図１】一実施形態の洗浄槽を示す断面図。
【図２】図１の２−２線における拡大断面図。
【図３】図２の３−３線における部分拡大断面図。
【図４】図２の４−４線における部分拡大断面図。
【図５】図１の洗浄槽における洗浄槽本体及びインナカバーを分解して示す斜視図。
【図６】同洗浄槽における中敷マットを拡大して示す斜視図。
【図７】同洗浄槽における排水収容タンクを拡大して示す斜視図。
【図８】同洗浄槽におけるシャワーヘッド保持具を拡大して示す斜視図。
【図９】同洗浄槽における肘受け具を拡大して示す斜視図。
【図１０】流体圧入プレートの構成を示す一部断面図。
【図１１】変形例を示す模式図。
【発明を実施するための形態】
【００１３】
以下に、この発明を具体化した一実施形態を、図面に基づいて説明する。この実施形態の洗浄槽は、湯灌用に用いることに適する。
図１及び図２に示すように、この実施形態の洗浄槽においては、使用時に上面を開口したほぼ長四角箱型の使用形状となる洗浄槽本体１１が装備されている。この洗浄槽本体１１は、流体圧入プレートよりなる底壁部１２の外周上縁に、同じく流体圧入プレートよりなる周壁部１３を接合して、内側接着テープ１４及び外側接着テープ１５により接着固定した構成となっている。
【００１４】
図１，図２及び図１０に示すように、前記底壁部１２は、外周縁において互いに密封接合した塩化ビニール等の柔軟性及び防水性を有する合成樹脂材料製の２枚の表皮材１２ａ，１２ｂと、それらの表皮材１２ａ，１２ｂの内面に接着された生地１２ｄ，１２ｅと、それらの１２ｄ，１２ｅ間に連結された非伸長性を有する多数の等長の樹脂繊維１２ｃとから構成されている。前記周壁部１３も底壁部１２と同様に、２枚の表皮材１３ａ，１３ｂと、それらの表皮材１３ａ，１３ｂの内面に接着された生地１３ｄ，１３ｅと、それらの生地１３ｄ，１３ｅ間の連結された非伸長性を有する多数の樹脂繊維１３ｃとから構成されている。このため、前記樹脂繊維１２ｃ及び１３ｃの非伸長性により、底壁部１２及び周壁部１３は、高内圧で、かつ板状に形状保持される。これは、同様に形成された後述の中敷きマット２６，支持突部２７Ａ，２７Ｂ，排水収容タンク３１の周壁部３３も同様に高内圧で、かつ板状に形状保持される。
【００１５】
図３に示すように、前記周壁部１３は、膨張状態の四隅において両表皮材１３ａ，１３ｂを直角に折曲形成するとともに、それらの折曲部分１６を上下方向の中央部において互いに接着することにより、全体として四角枠状をなすように形成されている。また、図４に示すように、周壁部１３の四隅の上端部及び下端部においては、両表皮材１３ａ，１３ｂの折曲部分１６を接着することなく、その折曲部分１６間にエア通過用の連通路１７が形成されている。
【００１６】
図２及び図５に示すように、前記洗浄槽本体１１の底壁部１２の内面両端及び周壁部１３の両端外面には、各一対のエア抜き取り口兼用のエア注入口１８が設けられ、それらのエア注入口１８には開閉弁１９が着脱可能に取り付けられている。そして、これらのエア注入口１８から底壁部１２及び周壁部１３内にエアが充填されることにより、洗浄槽本体１１がほぼ長四角箱型の使用形状に拡張される。また、これらのエア注入口１８から底壁部１２及び周壁部１３内のエアが抜き取られることにより、洗浄槽本体１１が扁平状態に収縮される。なお、前記開閉弁１９は、詳細は図示しないが、開放状態と閉止状態とに切り替えられる切替弁であって、エア注入及び抜き取り時には開放状態に、使用時は閉止状態に切替えられる。
【００１７】
図１、図２及び図５に示すように、前記洗浄槽本体１１の周壁部１３の両側下部には、前後各一対，合計４箇所の脚部２０が一体に突出形成されている。そして、使用形状の洗浄槽本体１１を床面Ｆ上に設置したとき、これらの脚部２０により、洗浄槽本体１１の底壁部１２が床面Ｆから所定の高さの空間をおいて配置される。また、この床面Ｆ上への洗浄槽本体１１の設置状態においては、底壁部１２の内面が洗浄槽本体１１内に横たえられる身体Ｂの頭部側から足部側に向かって下降傾斜するように形成されている。そして、底壁部１２の内面の下降傾斜端側の位置には、左右一対の排水用透孔２１が形成されている。
【００１８】
図１、図２及び図５に示すように、前記洗浄槽本体１１内には合成樹脂製で、柔軟性シート材料よりなるほぼ長四角箱型のインナカバー２２が着脱可能に取り付けられ、そのインナカバー２２の上端開口縁の外周には洗浄槽本体１１の開口上縁に係止可能な折り返し部２２ａが形成されている。そして、このインナカバー２２の取付状態で、洗浄槽本体１１の底壁部１２の上面、周壁部１３の内周面及び開口上縁が一体に覆われる。洗浄槽本体１１の排水用透孔２１と対応するように、インナカバー２２の底部には筒状体よりなる一対の排水口２３が配置され、その排水口２３の上端部には閉止弁２４が着脱可能に取り付けられている。各排水口２３の下端部には、洗浄槽本体１１の排水用透孔２１内に挿通可能な排水パイプ２５が接続されている。
【００１９】
図１、図２及び図６に示すように、前記インナカバー２２の取付状態において、洗浄槽本体１１内には使用時にほぼ平板状となる中敷マット２６が着脱可能に敷設されている。中敷マット２６の上面には、身体Ｂの頭部を支持するための幅広の１つの支持突部２７Ａと、身体Ｂのその他の部分を支持するための複数の幅狭の支持突部２７Ｂが身体Ｂの延長方向に間隔をおいて固定配置されている。ここで、各支持突部２７Ａ，２７Ｂ間の間隔は、２０〜６０ｍｍ程度が好ましく、等間隔に配列されても、不等間隔に配列されてもよい。
【００２０】
図１，図２及び図１０に示すように、前記中敷マット２６は流体圧入プレートよりなり、前記洗浄槽本体１１の底壁部１２及び周壁部１３と同様に、２枚の表皮材２６ａ，２６ｂと、それらの表皮材２６ａ，２６ｂの内面に接着された生地２６ｄ，２６ｅと、それらの生地２６ｄ，２６ｅ間に連結された非伸長性を有する多数の樹脂繊維２６ｃとから構成されている。また、各支持突部２７Ａ，２７Ｂも中敷マット２６と同様に流体圧入プレートよりなり、２枚の表皮材２７ａ，２７ｂと、それらの表皮材２７ａ，２７ｂの内面に接着された生地２７ｄ，２７ｅ間に連結された非伸長性を有する多数の樹脂繊維２７ｃとから構成されている。
【００２１】
図１及び図６に示すように、前記中敷マット２６の両端面には一対のエア抜き取り口兼用のエア注入口２８が設けられ、それらのエア注入口２８には開閉弁２９が着脱可能に取り付けられている。この開閉弁２９も前記開閉弁１９と同様に開放状態と閉止状態とに切り替えられる。中敷マット２６と各支持突部２７Ａ，２７Ｂとの接合部には、各一対の連通孔３０が形成されている。そして、前記エア注入口２８から中敷マット２６内にエアが充填されることにより、そのエアが連通孔３０を介して各支持突部２７Ａ，２７Ｂ内に導入されて、中敷マット２６が平板状の使用形状に拡張されるとともに、各支持突部２７Ａ，２７Ｂが枕状の使用形状に拡張される。また、エア注入口２８からエアが抜き取られることにより、中敷マット２６及び各支持突部２７Ａ，２７Ｂが扁平状態に収縮される。
【００２２】
図１、図２及び図７に示すように、前記洗浄槽本体１１の両側の脚部２０間において、底壁部１２と床面Ｆとの間の空間には一対の排水収容タンク３１が出し入れ可能に配設されている。この排水収容タンク３１は、頂壁部３２と周壁部３３と底壁部３４とを対向縁において互いに接合することにより密閉箱型状に形成されている。頂壁部３２及び底壁部３４は、柔軟性を有する樹脂シート材により形成されている。周壁部３３は洗浄槽本体１１の周壁部１３と同様に流体圧入プレートよりなり、２枚の表皮材３３ａ，３３ｂと、それらの表皮材３３ａ，３３ｂと、それらの表皮材３３ａ，３３ｂの内面に接着された生地３３ｄ，３３ｅと、それらの生地３３ｄ，３３ｅ間に連結された非伸長性を有する多数の樹脂繊維３３ｃとから構成されている。
【００２３】
図７に示すように、前記各排水収容タンク３１の周壁部３３の外面にはエア抜き取り口兼用のエア注入口３５が設けられ、そのエア注入口３５には前記開閉弁１９と同様に開放状態と閉止状態とに切り替えられる開閉弁３６が着脱可能に取り付けられている。そして、このエア注入口３５から周壁部３３内にエアが充填されることにより、排水収容タンク
３１が密閉箱型状の使用形状に拡張される。また、このエア注入口３５からエアが抜き取られることにより、排水収容タンク３１が扁平状態に収縮される。
【００２４】
図１、図２及び図７に示すように、前記各排水収容タンク３１の頂壁部３２にはホース接続口３７が形成され、そのホース接続口３７には蓋体３８が着脱可能に取り付けられている。そして、使用形状の排水収容タンク３１が洗浄槽本体１１の底壁部１２と床面Ｆとの間の空間に配置された状態で、インナカバー２２から洗浄槽本体１１の排水用透孔２１を介して下方に突出する前記排水パイプ２５が、このホース接続口３７に挿入接続される。この状態で、身体Ｂの洗浄に用いた排水が、インナカバー２２内から排水パイプ２５を介して排水収容タンク３１内に流入して回収される。
【００２５】
図７に示すように、前記各排水収容タンク３１の周壁部３３の両側面間には携帯用ベルト３９が掛装され、その携帯用ベルト３９の途中には長さを調節するための調節具４０が設けられている。そして、排水収容タンク３１内に排水が貯留された状態で、ホース接続口３７を蓋体３８により閉止した後、この携帯用ベルト３９を用いて排水収容タンク３１を運搬できるようになっている。なお、前記携帯用ベルト３９は、１本であっても、複数本であってもよく、また、図７に２点鎖線で示すように、取付位置や取付方向は適宜に選択される。
【００２６】
図１及び図８に示すように、前記洗浄槽本体１１の開口上縁の両側部等における適当位置には、一対のシャワーヘッド保持具４１が着脱可能に取り付けられる。このシャワーヘッド保持具４１の本体４２は、棒材により四角枠状に形成された支持枠部４２ａと、その支持枠部４２ａの両側下部に間隔をおいて突設された棒材よりなる一対のほぼＵ字状の脚部４２ｂとから構成されている。本体４２の両脚部４２ｂの外面には一対の取付板４３が固定され、一方の取付板４３上にはシャワーヘッドＳを着脱可能に係止するための一対の係止具４４が突設されている。
【００２７】
図１及び図９に示すように、前記洗浄槽本体１１の開口上縁の両側部あるいは一側部には、一対の肘受け具４５が着脱可能に取り付けられる。この肘受け具４５の本体４６は前記シャワーヘッド保持具４１の本体４２と同様に、四角枠状の支持枠部４６ａと、その支持枠部４６ａの両側下部に突設された一対の脚部４６ｂとから構成されている。本体４６の両脚部４６ｂの外面には一対の取付板４７が固定され、一方の取付板４７上には身体Ｂの肘を受けるための肘受け板４８がヒンジ４９を介して回動可能に取り付けられている。肘受け板４８の下面には保持ロッド５０が回動可能に取り付けられ、その保持ロッド５０と係合可能に対応するように、一方の脚部４６ｂの外面には係止部材５１が支持板５２を介して取り付けられている。
【００２８】
そして、図９に実線で示すように、肘受け板４８を本体４６の脚部４６ｂから外側方へ水平に突出する使用位置に回動させた状態で、保持ロッド５０を回動させてその先端部を係止部材５１に係合させることにより、肘受け板４８が上方の使用位置に係止保持される。また、保持ロッド５０を前記とは逆方向に回動させて係止部材５１との係合状態から解除させることにより、図９に鎖線で示すように、肘受け板４８を脚部４６ｂに沿って垂下する不使用状態に回動配置することができる。
【００２９】
次に、前記のように構成された洗浄槽の作用を説明する。
さて、この洗浄槽の不使用時には、流体圧入プレートよりなる洗浄槽本体１１、中敷マット２６及び排水収容タンク３１からエアが抜かれて、それらの構成部材が扁平状態に折り畳まれている。また、柔軟性樹脂シート材よりなるインナカバー２２も扁平状態に折り畳まれている。そのため、もともと軽量な各構成部材を小さく嵩張らない状態にすることができて、広い保管スペースを必要とすることなく、容易に保管することができるとともに、使用時には使用現場へ手軽に少ない労力で運搬することができる。
【００３０】
そして、この洗浄槽の各構成部材を使用現場に搬送した後に組立てる場合には、洗浄槽本体１１、中敷マット２６及び排水収容タンク３１の流体圧入プレート内に、それらのエア注入口１８，２８，３５からエアを充填すると、洗浄槽本体１１、中敷マット２６及び排水収容タンク３１が所定の使用形状に拡張される。この状態で、洗浄槽本体１１を使用現場の床面Ｆ上に設置するとともに、その洗浄槽本体１１の底壁部１２と床面Ｆとの間の空間に一対の排水収容タンク３１を配置する。
【００３１】
また、洗浄槽本体１１内にインナカバー２２を取り付け、そのインナカバー２２の下面の各排水パイプ２５を洗浄槽本体１１の排水用透孔２１に挿通して、各排水収容タンク３１のホース接続口３７に挿入接続する。さらに、このインナカバー２２の取付状態で、洗浄槽本体１１の底壁部１２上に中敷マット２６を敷設する。この場合、図１及び図２に示すように、中敷きマット２６は、端部の幅広の支持突部２７Ａ側が底壁部１２の傾斜上部側に位置するようにする。また、中敷マット２６の外周縁と洗浄槽本体１１の周壁部１３の内周面との間には、排水路としての空間が形成されるように配置する。
【００３２】
そして、必要に応じて洗浄槽本体１１の開口上縁の両側部に、一対のシャワーヘッド保持具４１及び肘受け具４５を装着する。この状態では、シャワーヘッド保持具４１及び肘受け具４５は、その取付位置を周壁部１３の延びる方向に沿って自在に選択できる。そして、この場合、シャワーヘッド保持具４１の係止具４４及び肘受け具４５の肘受け板４８が洗浄槽本体１１の内側に配置されるようにする。
【００３３】
このように、洗浄槽の使用に際しては、流体圧入プレートよりなる洗浄槽本体１１、中敷マット２６及び排水収容タンク３１にエアを充填することにより、それらの構成部材を所定の使用形状に拡張させることができる。この場合、各構成部材が硬質の合成樹脂材料で形成されていないため、手軽に取り扱うことができる。よって、使用に際しての組立作業等を容易に行うことができる。
【００３４】
その後、図１に鎖線で示すように、中敷マット２６の支持突部２７Ａ，２７Ｂ上に身体Ｂを載置すると、中敷マット２６の上面と身体Ｂとの間において、各支持突部２７Ａ，２７Ｂ間に空間が形成される。なお、ここで、身体のＢの頭部は幅広の支持突部２７Ａ上に載置する。そして、この状態で、シャワーヘッド保持具４１の係止具４４にシャワーヘッドＳを係止して、そのシャワーヘッドＳから身体Ｂに湯を噴射させながら身体Ｂを洗っていく。この場合、シャワーヘッド保持具４１の本体４２が洗浄槽本体１１の周壁部１３に対して移動可能及び着脱可能に装着されているため、シャワーヘッドＳの位置を任意に変更しながら、身体Ｂの各部を容易に洗うことができる。もちろん、シャワーヘッド保持具４１を洗浄槽本体１１に取り付けることなく、そいて、シャワーヘッドＳをシャワーヘッド保持具４１に支持することなく、手に持って洗浄を行ってもよい。
【００３５】
また、中敷マット２６の上面と身体Ｂとの間において、各支持突部２７Ａ，２７Ｂ間に空間が形成されているため、この支持突部２７Ａ，２７Ｂ間の空間を利用して、身体Ｂの背中側にも作業者の手を差し入れながら容易に洗うことができる。
【００３６】
さらに、図１に示すように、肘受け具４５の肘受け板４８を使用位置に回動配置させた状態で、その肘受け板４８に身体Ｂの肘を載置すれば、身体Ｂの腕が邪魔になることなく、脇等の他の部分を容易に洗うことができる。
【００３７】
そして、この身体Ｂの洗浄時には、洗浄槽本体１１の底壁部１２の内面が身体Ｂの頭部側から足部側に向かって下降傾斜するように形成されている。このため、洗浄に用いた排水はインナカバー２２内で底壁部１２の内底面に沿って前記足部側へ流れた後、排水パイプ２５を介して排水収容タンク３１内に流入回収される。よって、排水を洗浄槽本体１１内に滞留することなく、外部へ速やかに排出することができるとともに、洗浄槽の周囲の床面等を濡らしてしまうことが回避される。
【００３８】
このように、身体Ｂの洗浄が終了した後は、身体Ｂを中敷マット２６上から洗浄槽外に運び出した後、中敷マット２６及びインナカバー２２に付着した水分を拭き取りながら、それらを洗浄槽本体１１内から取り外す。この場合、洗浄槽本体１１の内面がインナカバー２２により覆われて、排水に触れていないため、洗浄槽本体１１を使用毎に洗浄清掃する必要がなく、清掃作業を簡略化することができる。その後、流体圧入プレートよりなる洗浄槽本体１１、中敷マット２６及び排水収容タンク３１からエアを抜けば、それらの構成部材を扁平状態に折り畳むことができる。また、柔軟性樹脂シート材よりなるインナカバー２２も扁平状態に折り畳むことができる。よって、これらの構成部材を嵩張らない小さな形状にすることができて、前述した運び入れ時と同様に、使用現場から容易に運び出すことができる。
【００３９】
また、排水が貯留された排水収容タンク３１については、その上面のホース接続口３７を蓋体３８により閉止した状態で、携帯用ベルト３９を用いて運び出すことができる。よって、排水の廃棄処理を容易に行うことができる。
【００４０】
以上に述べた実施形態は以下の効果を発揮する。
（１）  洗浄槽本体１１等が流体圧入プレートにより構成されているため、軽量であり、しかも、不使用時や、運搬時には、エアを抜いて小さく折りたたむことができる。このため、保管や運搬に便利である。
【００４１】
（２）  洗浄槽１１本体の内底部には身体を支持するための複数の支持突部２７Ａ，２７Ｂが身体の延長方向に間隔をおいて配設されている。このため、各支持突部２７Ａ，２７Ｂ間の空間から身体の背中側に手を差し入れて容易に洗うことができる。
【００４２】
（３）  洗浄槽本体１１内に中敷マット２６が着脱可能に敷設されるとともに、その中敷マット２６の上面に支持突部２７Ａ，２７Ｂが設けられている。従って、中敷マット２６を洗浄槽本体１１内から取り出して容易に洗浄でき、清潔さを維持できる。
【００４３】
（４）  洗浄槽本体１１の内底面が身体の頭部側から足部側に向かって下降傾斜するように形成され、洗浄槽本体１１の内底面の下降位置に排水用透孔２１が形成されている。従って、身体の洗浄に用いた水を洗浄槽本体の内底面に沿って一側方へ流して、排水用透孔２１から速やかに排出することができる。
【００４４】
（５）  洗浄槽本体１１の内面及び開口上縁を覆うように、洗浄槽本体１１内に柔軟シート材料よりなるインナカバー２２が着脱可能に取り付けられる。従って、使用毎に洗浄槽本体１１を洗浄清掃する必要がなく、清掃作業を簡略化することができる。また、このインナカバー２２を使い捨てにすることも可能である。
【００４５】
（６）  前記インナカバー２２における洗浄槽本体１１の排水用透孔２１と対応する位置に、閉止弁付きの排水パイプ２５が設けられている。このように構成した場合には、身体の洗浄に用いた水を、インナカバー２２内から排水パイプ２５を介して速やかに排出させることができる。
【００４６】
（７）  洗浄槽本体１１に排水収容タンク３１を付設し、その排水収容タンク３１の周壁部３３が流体圧入プレートにより形成されている。従って、身体の洗浄に用いた水を排水収容タンク３１内に貯留させて、容易に廃棄処理することができる。しかも、排水収容タンク３１は一対設けられているため、言い換えれば２分割されているため、排水の運び出しを少ない労力で簡単に行うことができる。
【００４７】
（８）  洗浄槽本体１１の開口上縁に着脱可能に取り付けられるシャワーヘッド保持具４１が設けられている。このため、そのシャワーヘッド保持具４１にシャワーヘッドＳを保持することにより、身体の洗浄作業を容易に行うことができる。また、そのシャワーヘッド保持具４１にシャワーヘッドＳを保持することにより、シャワーヘッドＳから垂れ落ちる水により床面等が濡らされることを回避できる。
【００４８】
（９）  洗浄槽本体１１の開口上縁に着脱可能に取り付けられる肘受け具４５が設けられている。このように構成した場合には、その肘受け具４５に身体の肘を載置することにより、身体の他の部分の洗浄作業を容易に行うことができる。
【００４９】
（変更例）
なお、この実施形態は、次のように変更して具体化することも可能である。
・  前記実施形態においては、中敷マット２６の上面に複数の支持突部２７Ａ，２７Ｂが設けられているが、この支持突部２７Ａ，２７Ｂを洗浄槽本体１１の底壁部１２の内面に設けて、その支持突部２７Ａ，２７Ｂ上に身体Ｂを載置するように構成してもよい。言い換えれば、このように構成された場合には、中敷きマット２６は設けられない。
【００５０】
・  排水収容タンク３１の頂壁部３２や底壁部３４を流体圧入プレートにより構成してもよい。
・  洗浄槽本体１１の底壁部１２と周壁部１３とをエアの流通可能に一体化してもよい。このようにすれば、エアの注入及び排出が容易になる。
【００５１】
・  前記実施形態においては、洗浄槽本体１１に一対の排水用透孔２１を設けて、その両排水用透孔２１からそれぞれ排水パイプ２５を介して両排水収容タンク３１に排水するようにした。これに対し、図１１に示すように、排水用透孔２１を１箇所のみに設け、排水パイプ２５に一対の分岐部２５ａを設けて、その両分岐部２５ａをそれぞれ介して両排水収容タンク３１に排水するようにすること。このようにすれば、両排水収容タンク３１内に収容される排水の量の差を小さくできる。
【００５２】
・  前記実施形態においては、湯灌用の洗浄槽に具体化しているが、例えば洗浄槽本体１１の周壁部１３の高さ等を変更して、介護用等の他の用途の洗浄槽に具体化してもよい。
【符号の説明】
【００５３】
１１…洗浄槽本体、１２…底壁部、１３…周壁部、１８…エア注入口、２１…排水用透孔、２２…インナカバー、２３…排水口、２４…閉止弁、２５…排水パイプ、２６…中敷マット、２７Ａ，２７Ｂ…支持突部、２８…エア注入口、３１…排水収容タンク、３３…周壁部、３５…エア注入口、３７…ホース接続口、４１…シャワーヘッド保持具、４４…係止具、４５…肘受け具、４８…肘受け板、Ｆ…床面、Ｂ…身体、Ｓ…シャワーヘッド。
【図１】
2011152464.tif 000003
【図２】
2011152464.tif 000004
【図３】
2011152464.tif 000005
【図４】
2011152464.tif 000006
【図５】
2011152464.tif 000007
【図６】
2011152464.tif 000008
【図７】
2011152464.tif 000009
【図８】
2011152464.tif 000010
【図９】
2011152464.tif 000011
【図１０】
2011152464.tif 000012
【図１１】
2011152464.tif 000013